(57)【要約】      （修正有）【課題】人の五感の中で、唯一、身体全体に分布し特殊な機能をもっている触覚を利用して、枕を通して脳の神経細胞に刺激を与え、設定時刻や、緊急事態発生時の目覚ましを促す事を可能にするワイヤレス受信機能を備えたワイヤレス目覚まし発振器を提供する。【解決手段】事態に応じた送信信号を送信する手段と、内蔵アンテナでの信号受信手段と、受信した信号に応じて振動パターンを選択し、圧電振動板発振器４を作動させる手段を持つことを特徴とする。【選択図】図５
0003150068.tif 000002
【実用新案登録請求の範囲】
【請求項１】
事態に応じた送信信号を送信する手段と、内蔵アンテナでの信号受信手段と、受信した信号に応じて振動パターンを選択し、圧電振動板発振器を作動させる手段を持つことを特徴とするワイヤレス目覚し発振器。
【請求項２】
前記ワイヤレス目覚まし発振器を枕の内部に取り付けたことを特徴とするワイヤレス目覚し発振器。
【請求項３】
前記ワイヤレス目覚まし発振器を車両のヘッドレストに取り付けたことを特徴とするワイヤレス目覚し発振器。
【考案の詳細な説明】
【技術分野】
【０００１】
本考案は、事態に応じた送信信号を受信し、信号に応じた振動パターンで圧電振動板発振器を作動させるワイヤレス目覚し発振器に関する。
【背景技術】
【０００２】
枕は就寝時に頭を乗せるための寝具であるが、枕の技術革新も進み、首と肩をやさしくサポートし、健やかな眠りを誘う感覚へと導く役目を果たしている。しかしながら、時には熟睡が災いして設定時刻に眼を覚さなかったり、時には熟睡が災いして、火災、ガス漏れ、地震、その他緊急事態発生に気づかず、逃げ遅れて不慮の事故に至り、怪我や、亡くなるニュースが毎日のように報道されており、関係者の住宅の消失、損壊だけでなく、車を運転中に居眠りをしての交通事故など、隣近所にも多大な損害を与えており、このような事故を最小限にとどめ、地域社会の安全、安心への対策が必要である。
実用新案登録第３０５００３５号において、枕内部に設置した、音或いは振動により目覚まし機能を持たせた技術が記載されているが、単に目覚ましとしての機能のみであり、振動パターンにより、現在起きている事態を認識するには至っていない。
【先行技術文献】
【特許文献】
【０００３】
【特許文献１】実用新案登録第３０５００３５号
【考案の概要】
【考案が解決しようとする課題】
【０００４】
日常使用している枕はやさしい眠りを誘うと言う、すばらしい役目を果たしているが、時には、ぐっすり眠っていることが災いして、火災、ガス漏れ、地震、その他の事故等、緊急事態発生時に逃げ遅れて不慮の事故に至る危険が有る。本考案は、人の五感の中で、唯一、身体全体に分布し特殊な機能をもっている触覚を利用して、枕を通して脳の神経細胞に刺激を与え、設定時刻や、緊急事態発生時の目覚ましを促す事を可能にするワイヤレス受信機能を備えたワイヤレス目覚まし発振器を提供することを課題とする。
【課題を解決するための手段】
【０００５】
事態に応じた送信信号を送信する手段と、内蔵アンテナでの信号受信手段と、受信した信号に応じて振動パターンを選択し、圧電振動板発振器を作動させる手段を持つことを特徴とする。また、このワイヤレス目覚し発振器を、枕内部や車両のヘッドレストに取り付けることを第２の特徴とする。
【考案の効果】
【０００６】
就寝中の枕の内部に取り付けられた内蔵アンテナ付の圧電振動板発振器は、事態に応じた送信信号により、火災、ガス漏れ、地震、その他の事故等により振動パターンを変え、枕の内部の圧電振動板発振器を作動させることで、脳の神経細胞に刺激を与えて目覚まし効果を与え、瞬時に眼を覚ますことにより被害を最小限にとどめ次の行動に移る事を可能とする。また、振動パターンによりどのような緊急事態が発生しているのかを知ることができる。
【０００７】
車のヘッドレスト内部に組み込まれた内蔵アンテナ付の圧電振動板発振器は、運転中の居眠りによる交通事故を防ぐため、事態に応じた送信信号により、圧電振動板発振器を作動させ、脳の神経細胞に刺激を与えて、即座に眠りから覚醒させることが可能となる。
【図面の簡単な説明】
【０００８】
【図１】大脳を横から見た頭頂葉の位置
【図２】圧電振動板の原理
【図３】本体の一例の斜視図
【図４】本体の一例の平面図
【図５】本体の一例の断面図
【図６】就寝枕内部への圧電振動板発振器の一例の組み込み図
【図７】車のヘッドレスト内部への圧電振動板発振器の一例の組み込み図
【考案を実施するための最良の形態】
【０００９】
以下、実施例を基に本考案の実施の形態を図１〜図７を引用して説明する。
【実施例１】
【００１０】
図１においては、大脳を横から見た脳の構造を示し、頭頂葉が五感の中で身体全体に分布している空間認知、触感を含めた感覚情報のコントロールを司っている状態を示す。すなわち、就寝中に真っ先に目覚めの行動を起こさせる感覚認知に刺激を与える重要性を示す。図２においては発振器として使用する圧電振動板の原理について説明する。
【００１１】
事態に応じた送信信号を送信する送信機からの信号を、内臓アンテナで受信し、受信された信号に応じた振動パターンで振動を発生する圧電振動板発振器である。例えば、火災、ガス漏れ、地震、侵入者、その他の事故等により送信信号を割り振り、送信された信号に応じて振動パターンを選択して振動を発生させる。
【００１２】
事態に応じた送信信号を送信する手段と、内蔵アンテナでの信号受信手段と、受信した信号に応じて振動パターンを選択し、圧電振動板発振器を作動させる手段を持つことを特徴とする。
放音孔７が設けられた外装ケース８に、電源５、内臓アンテナ６及び圧電振動発振器４を配線により接合し、外装ケース８内部に固定し、ワイヤレス目覚し発振器を構成する。作動距離は３０ｍ程度の範囲を持たせるものとする。
【実施例２】
【００１３】
前記、ワイヤレス目覚し発振器を枕内部に取り付け、就寝時はこの枕で睡眠をとる。火災や地震等の緊急事態が発生した場合、事態に応じた送信信号が送信され、送信信号に応じた振動パターンで振動する圧電振動板発振器により覚醒する。また、振動パターンによりどのような緊急事態が発生しているのかを知ることができる。
図３、図４、図５は、枕内部に組み込む発振器が小径圧電振動板、主電極、接地電極、帰還電極、放音孔、電源、内蔵アンテナ、外装ケース等で構成されている斜視図と平面図と断面図を示す。図６は、就寝時の枕内部と発振器と頭の関係位置を示す。
【実施例３】
【００１４】
前記、ワイヤレス目覚し発振器を車両等のヘッドレストに取り付け、居眠り運転等が発生した場合、頭部の動きにより非正常であることを判断して送信信号が送信され、振動する圧電振動板発振器により覚醒する。
図７は、運転中の車のヘッドレスト内部と発振器と頭の関係位置を示す。
【符号の説明】
【００１５】
１    大脳の中の頭頂連合野の頭頂葉部
２    発振器付き枕、又はヘッドレスト
３    受信信号内蔵アンテナ付きの発振器
４    圧電振動板発振器
５    電源
６    内蔵アンテナ
７    放音孔
８    外装ケース
【図１】
0003150068.tif 000003
【図２】
0003150068.tif 000004
【図３】
0003150068.tif 000005
【図４】
0003150068.tif 000006
【図５】
0003150068.tif 000007
【図６】
0003150068.tif 000008
【図７】
0003150068.tif 000009
【手続補正書】
【提出日】平成21年2月24日(2009.2.24)
【手続補正１】
【補正対象書類名】実用新案登録請求の範囲
【補正対象項目名】請求項２
【補正方法】変更
【補正の内容】
【請求項２】
枕の内部に取り付けたことを特徴とする請求項１記載のワイヤレス目覚し発振器。
【手続補正２】
【補正対象書類名】実用新案登録請求の範囲
【補正対象項目名】請求項３
【補正方法】変更
【補正の内容】
【請求項３】
車両のヘッドレストに取り付けたことを特徴とする請求項１記載のワイヤレス目覚し発振器。